(57)【特許請求の範囲】
【請求項１】
被検査物の対象部の電気的特性を検査するための検査装置用の検査用治具に取り付けられる接触子であって、
前記検査装置と電気的に接続される電極部と端面が導通接触する後端部と、  先端部と、前記後端部と前記先端部との間に形成された長軸方向の螺旋状のばね部とからなる円筒部と、
前記円筒部内に配置されている棒状部であって、先端が前記円筒部の前記先端部から延出していて前記対象部に当接し、後端が前記円筒部の前記後端部内に配置されている棒状部と
を有し、
前記円筒部の前記先端部に、前記円筒部と前記棒状部とを接合して電気的に導通させる接合部を有し、
前記円筒部の前記後端部内に、前記棒状部を前記円筒部の円周方向に回転駆動させるための回動部を有し、
前記回動部は、
前記円筒部の前記後端部内に、前記棒状部の後端部から延設される凸形状の雄型部と、
前記雄型部と嵌合する凹形状の雌型部と
を備え、
前記雄型部は、先鋭となる二つの傾斜面により形成され、
前記雌型部は、前記二つの傾斜面と係合する傾斜面を有し、
前記雄型部の二つの傾斜面により形成される頂部と、前記雌型部の二つの傾斜面により形成される谷部は、非使用時の平面視において、重なり合わない位置関係にあり、検査時に、前記頂部と前記谷部との間に隙間があることを特徴とする接触子。
【請求項２】
前記回動部は、前記ばね部の収縮量に応じて、前記円周方向の駆動量が調整されていることを特徴とする請求項１記載の接触子。
【請求項３】
被検査物の対象部の電気的特性を検査するための検査装置用の検査用治具であって、
請求項１の接触子と、
該接触子を前記検査装置に電気的に接続するための電極部と、
前記接触子の前記先端部を前記被検査物の前記対象部上の所定の検査点へ案内するためのヘッド部と、
前記接触子の前記後端部を前記電極部へ案内するためのベース部と
を備え、
前記ヘッド部が、前記接触子の前記先端部を係止する係止部と、該先端部から突出する前記棒状部を前記所定の検査点へ案内するための貫通孔とを備える、検査用治具。
【発明の詳細な説明】
【技術分野】
【０００１】
本発明は、被検査物の検査対象部上に予め設定される検査点とこの検査を実施する検査装置とを電気的に接続する検査用治具及びその検査用治具に使用可能な接触子に関する。
【０００２】
本発明の検査用治具とは、被検査物が有する検査対象部に、検査装置から電力或いは電気信号を所定検査位置に供給するとともに、検査対象部から電気信号を検出することによって、検査対象部の電気的特性を検出したり、動作試験を行ったりすることを可能にする。
【０００３】
このような被検査物とは、例えば、プリント配線基板、フレキシブル基板、セラミック多層配線基板、液晶ディスプレイやプラズマディスプレイ用の電極板、及び半導体パッケージ用のパッケージ基板やフィルムキャリアなど種々の基板や、半導体ウェハや半導体チップやCSP(Chip size package)などの半導体装置を例示することができる。
なお、本明細書では、これらの上記の被検査物を総称して「被検査物」とし、被検査物に形成される検査対象部を「対象部」と称する。
【背景技術】
【０００４】
例えば、被検査物が基板であり、それに搭載されるＩＣ等の半導体回路や抵抗器などの電気・電子部品である場合には、基板に形成された対象部が配線や電極となる。その場合には、対象部の配線が、それらに電気信号を正確に伝達できることを保証するため、電気・電子部品を実装する前のプリント配線基板、液晶パネルやプラズマディスプレイパネルに配線が形成された回線基板に設けられた検査点間の抵抗値等の電気的特性を測定して、その配線の良否が判断されている。
【０００５】
そのような測定のために検査装置が用いられており、その検査装置は、被検査物の対象部の検査点に先端部を接触させて対象部に測定のための電流を供給したり電圧を測定したりするため複数の接触子を有する検査用治具を備える。
【先行技術文献】
【特許文献】
【０００６】
【特許文献１】特許第４０３１００７号  特許文献１は、周壁の一部がスプリングとなった筒体内に、直線状の接触子及び案内子からなる接触ピンを備え、接触子と案内子との間に鍔部が設けられていて、鍔部が筒体の下端に連結されている垂直収縮型のスプリング接触子を開示する。
【発明の概要】
【発明が解決しようとする課題】
【０００７】
本願発明が対象とする被検査物の対象部は、金属材料により形成されており、酸化被膜が形成されることになる。このため、被検査物の検査を実施する場合には、接触子がこの酸化被膜を突き抜け又は破って、対象部と直接的に当接しなければならないことになる。
このようなことから、この酸化被膜を破るために接触子の加重を大きくする方法を例示することができるが、検査用治具にはこの接触子が数千〜数万本も備えられるため、接触子一本の加重を大きくすると、接触子を保持する保持体に極めて大きな加重が負荷されることになる。このように加重が大きくなると、保持体に大きな影響を与え、保持体が破損してしまう問題を有していた。
このような問題点から、接触子の有する加重を大きくすることなく、酸化被膜を破って対象部に当接することのできる接触子やその検査用治具の提案が望まれている。
【課題を解決するための手段】
【０００８】
請求項１記載の発明は、被検査物の対象部の電気的特性を検査するための検査装置用の検査用治具に取り付けられる接触子であって、前記検査装置と電気的に接続される電極部と端面が導通接触する後端部と、先端部と、前記後端部と前記先端部との間に形成された長軸方向の螺旋状のばね部とからなる円筒部と、前記円筒部内に配置されている棒状部であって、先端が前記円筒部の前記先端部から延出していて前記対象部に当接し、後端が前記円筒部の前記後端部内に配置されている棒状部とを有し、前記円筒部の前記先端部に、前記円筒部と前記棒状部とを接合して電気的に導通させる接合部を有し、前記円筒部の前記後端部内に、前記棒状部を前記円筒部の円周方向に回転駆動させるための回動部を有し、前記回動部は、前記円筒部の前記後端部内に、前記棒状部の後端部から延設される凸形状の雄型部と、前記雄型部と嵌合する凹形状の雌型部とを備え、前記雄型部は、先鋭となる二つの傾斜面により形成され、前記雌型部は、前記二つの傾斜面と係合する傾斜面を有し、前記雄型部の二つの傾斜面により形成される頂部と、前記雌型部の二つの傾斜面により形成される谷部は、非使用時の平面視において、重なり合わない位置関係にあり、検査時に、前記頂部と前記谷部との間に隙間があることを特徴とする接触子を提供する。
請求項２記載の発明は、前記回動部は、前記ばね部の収縮量に応じて、前記円周方向の駆動量が調整されていることを特徴とする請求項１記載の接触子を提供する。
請求項３記載の発明は、被検査物の対象部の電気的特性を検査するための検査装置用の検査用治具であって、請求項１の接触子と、該接触子を前記検査装置に電気的に接続するための電極部と、前記接触子の前記先端部を前記被検査物の前記対象部上の所定の検査点へ案内するためのヘッド部と、前記接触子の前記後端部を前記電極部へ案内するためのベース部とを備え、前記ヘッド部が、前記接触子の前記先端部を係止する係止部と、該先端部から突出する前記棒状部を前記所定の検査点へ案内するための貫通孔とを備える、検査用治具を提供する。
【発明の効果】
【０００９】
請求項１又は３記載の発明によれば、接触子の円筒部が回動部を有しており、接触子の棒状部を該円筒部の円周方向に回動させることができる。このため、対象部に接触子が当接した際に、棒状部が回動することにより、対象部の酸化被膜を破り、対象部と接触子の好適な導通接触を可能にし、ばね部の収縮量に応じて、棒状部の円周方向の駆動量が調整されることになるため、適宜な駆動量をばね部の収縮量にて調整することができ、凸形状の雄型部と凹形状の雌型部から形成されることにより、雄型部と雌型部の嵌合を利用して簡便に構成することができ、雄型部と雌型部の傾斜面を利用することにより、漸次変化させることができるとともに容易に当接させることができ、さらに、雄型部の二つの傾斜面により形成される頂部と、雌型部の二つの傾斜面により形成される谷部が、非使用時における平面視において、重なり合わない位置関係にあるので、使用時に棒状部が回動することになる。
【図面の簡単な説明】
【００１０】
【図１】図１は、検査用の接触子を取り付けた本発明の一実施形態に係る検査用治具の概略の構成を示す一部断面正面図である。
【図２Ａ】図２Ａは、図１の検査用治具に用いることのできる一実施形態に係る接触子の概略構成を示す一部断面図である。
【図２Ｂ】図２Ｂは、図２Ａの接触子の構成部材の一部の一例を示す概略構成図である。
【図２Ｃ】図２Ｃは、図２Ａの接触子の構成部材の一部の一例を示す概略構成図である。
【図３】図３は、図１の一実施形態に係る検査用治具の一部の構成を簡略化して示す拡大一部断面図である。
【図４】図４は、図１の一実施形態に係る検査用治具の一部の構成を簡略化して示す拡大一部断面図である。
【図５】図５は、本発明の雄型部と雌型部の動作を説明する図であり、（ａ）は接触子が検査用治具に装着されている状態を示し、（ｃ）は接触子が対象部に導通接触して検査が実施される状態を示し、（ｂ）は（ａ）と（ｃ）の間の状態を示す。
【発明を実施するための形態】
【００１１】
以下に、添付図面に基づいて、上記の基板や半導体装置の被検査物の対象部の検査用の接触子が取り付けられた検査用治具について説明を行う。なお、各添付図において、各部材の厚さ、長さ、形状、部材同士の間隔等は、理解の容易のために、拡大・縮小・変形・簡略化等を行っている。
【００１２】
［検査用治具の概略の構成］
図１は、本発明の一実施形態に係る検査用治具１０の概略の構成を示す一部断面正面図である。検査用治具１０は、ヘッド部１２、ベース部１４及び電極部１６を備える。ヘッド部１２及びベース部１４は、樹脂あるいはセラミックス等の絶縁性の板状部材からなる。ヘッド部１２及びベース部１４は、棒状の支持部材１１及びその周囲に環装されたスペーサ１１ｓによって所定の距離だけ離隔されて保持されている。
【００１３】
ヘッド部１２には複数の貫通孔１２ｈが形成されていて、それに挿入された接触子２０の先端部２２ｆが所定の位置に案内される。ベース部１４には複数の貫通孔１４ｈが形成されていて、それに挿入された接触子２０の後端部２２ｒが電極部１６へ案内される。
【００１４】
接触子２０の後端部２２ｒは、電極部１６に固定された導線１８の端部と接触しており、導線１８は図示せぬ検査装置に接続されている。なお、この図示せぬ検査装置が、検査用治具１０を介して、被検査物３０の対象部間の電気信号を送受信することにより、対象部間の抵抗値の良否判定を行うことになる。
【００１５】
図１においては、図面の簡略化のために、一部の接触子２０のみを示す。また、図１に示すように、被検査物の検査時には、検査用治具１０の下方に、検査対象の被検査物３０を配置し、検査用治具１０を下降させて接触子２０の先端部２４ａを所定の検査点、例えば、３０ｄ１に接触させ、それにより、対象部の電気的特性の検査を行う。
【００１６】
［接触子の構造］
図２（Ａ）から図２（Ｃ）は、本願発明の検査用治具に用いられる接触子の一実施形態に係る概略構成図である。図２（Ａ）は、図１の検査用治具に用いることができる一実施形態に係る接触子２０を示す。図２（Ｂ）は、円筒部の一実施形態を示す一部概略断面図である。図２（Ｃ）は、棒状部の一実施形態を示す概略図である。
接触子２０は、導電性の円筒部２２と導電性の棒状部２４とから構成されていて、棒状部２４が、導電性の円筒部２２内に挿通されている。
【００１７】
円筒部２２は、図２Ｂで示される如く、円筒形状の先端部２２ｆと、円筒形状の後端部２２ｒと、それらの間に形成されたばね部２２ｓとからなり、ばね部２２ｓは円筒部２２の壁面周縁に長軸方向の螺旋形状に形成される。
後端部２２ｒは、導線１８の端部と導通接触する。この後端部２２ｒの端面と導線１８の端面が当接して導通状態となる。
先端部２２ｆは、その開口端から後述する棒状部２４の一部が突出して配置される。先端部２２ｆには、棒状部２４と電気的に接続されるとともに、円筒部２２と棒状部２４を固着する接合部Ｐ１が形成される。
【００１８】
棒状部２４は、図２Ｃで示される如く、円柱形状の本体部２４ｂと先鋭形状の先端部２４ａとから構成されている。
棒状部２４は、図２Ａで示される如く、先端部２２ｆ、ばね部２２ｓ及び後端部２２ｒ内に挿通されている。棒状部２４の先端部２４ａは、円筒部２２の先端部２２ｆの先端面２２ｆｅから突出している。一方、棒状部２４の後端部側は、円筒部２２の後端部２２ｒの後端面よりも内側に引っ込んだ位置にある。その引っ込んだ位置までの距離は、棒状部２４の先端部２４ａが押されて後退した場合に、それとともに移動する棒状部２４の後端部側が、円筒部２２の後端部２２ｒの後端面から出ない程度の大きさである。
【００１９】
円筒形状の先端部２２ｆの接合部Ｐ１で示す位置において、円筒形状の先端部２２ｆと棒状部２４の本体部２４ｂとが、詳しくは後述のとおり、抵抗溶接、レーザ溶接又はかしめによって接合されていて、互いに固定されている。そのため、円筒形状の先端部２２ｆと円柱形状の本体部２４ｂとは一緒に移動する。また、この接合部Ｐ１によって、円筒形状の先端部２２ｆと棒状部２４の本体部２４ｂとが電気的に導通可能となっている。
【００２０】
接合部Ｐ１は、先端部２２ｆの先端面２２ｆｅから離れた位置にある。そのような位置において接合を行ったのは、接合の際にその部分がやや変形することがあり、例えば、図３に示すように、接触子２０を検査治具に取り付けて先端部２２ｆをヘッド部１２の貫通孔１２ｈの大径部１２ｈ１に挿入したときに、その変形が貫通孔に影響を与えないようにするためである。
【００２１】
接触子２０は、円筒部２２の後端部２２ｒに、棒状部２４を円筒部２２の円周方向に回転駆動させる回動部２６を備えてなる。この回動部２６は、棒状部２４の先端部２４ａが対象部に当接し、ばね部２２ｓが収縮される際に、棒状部２４を円筒部２２の円周方向に回転させる。このため、棒状部２４の先端部２４ａも円周方向に回転されることになり、先端部２４ａの対象部が対象部表面を擦りながら移動することなる。このように棒状部２４の先端部２４ａが対象部表面を擦りながら移動するため、対象部表面の酸化被膜を擦り破ることができる。
【００２２】
この回動部２６は、ばね部２２ｓの収縮量に応じて、円周方向の回動量が調整される。具体的には、ばね部２２ｓの収縮量が増加するに応じて、棒状部２４の円周方向の回動量が増加するように調整される。このように調整されることにより、棒状部２４が対象部に当接した後の検査用治具１０の移動量（被検査物方向への押し込み量）に応じて調整することができる。
【００２３】
回動部２６は、具体的に、棒状部２４の後端部２４ｃに設けられる凸形状の雄型部２６４と、円筒部２２の後端部２２ｒに設けられる凹形状の雌型部２６２を形成することができる。
この雄型部２６４は、棒状部２４の後端部２４ｃから電極部側に延設される凸形状に形成される。雌型部２６２は、円筒部２２の後端部２２ｒの端部に、雄型部２６４の凸形状と嵌合する凹形状に形成される。このため、図２Ａで示される如く、雄型部２４と雌型部２６２は、お互いが向き合って配置されることになり、棒状部２４が対象部に当接して電極部側へ押し込み移動した際に、棒状部２４の雄型部２６４と円筒部２２の雌型部２６２が嵌合するように、棒状部２４が回動することになる。
【００２４】
雄型部２６４と雌型部２６２は、夫々凸形状と凹形状に形成できることを説明したが、次のような具体的な形状にすることができる。雄型部２６４は、図２Ｃで示される如く、先鋭となる二つの傾斜面２６４ａ、２６４ｂにより形成される。このように形成されることにより、雄型部２６４が三角柱（マイナススドライバーの形状）の形状となる。また、雌型部２６２は、円柱又は円筒の部材に雄型部２６４と嵌合する形状の切欠が形成される。この雌型部２６２の切欠部分に雄型部２６４の全部又は一部が嵌合されることになる。雌型部２６２を円柱や円筒の一部を切欠いて形成することにより、切欠部の周縁が湾曲形状になり、雄型部２６４がこの雌型部２６２の周縁部に当接した場合に、棒状部２４を回動し易く形成されることになる。
【００２５】
雌型部２６２は、雄型部２６４が三角柱に形成された場合には、三角柱の二つの傾斜面２６４ａ、２６４ｂと対応して係合する傾斜面により形成される。この傾斜面は、雄型部２６４の先鋭状に形成される二つの傾斜面２６２ａ、２６２ｂと係合するように、漸次広がる開口となるように二つの傾斜を有するように形成されることが好ましい。
このように形成されることで、先端が三角柱状の雄型部２６４とこの三角柱を受け入れるｖ字状に雌型部２６２に形成されることにより、雄型部２６４と雌型部２６２がより嵌合し易くなり、棒状部２４が回動し易くなる。
【００２６】
雌型部２６４は、上記の如き傾斜面２６２ａ、２６２ｂを有して形成される。この傾斜面２６２ａ、２６２ｂの長さは特に限定されないが、雄型部２６２の傾斜面２６４ａ、２６４ｂの長さよりも長く形成され、検査時に収縮するばね部２２ｓの運動を阻害しない限りにおいて、できるだけ長く形成されることが好ましい。この雌型部２６４の傾斜面２６２ａ、２６２ｂの長さが長く形成されればされるほど、棒状部２４の回動を好適に行うことができるからである。
【００２７】
雄型部２６４は、上記の如き三角柱状の山型に形成され、雌型部２６２は、三角柱と嵌合できる谷型に形成されることができるが、このように形成される場合、雄型部２６４の山型の山頂部２６４ｃが直線状に形成され、雌型部２６２の谷型部の谷底部２６２ｃが直線状に形成されることになる。このとき、接触子２０が非使用時（対象部に当接していない場合）の平面視において、直線状の雄型部２６４の山頂部２６４ｃと、直線状の雌型部２６２の谷底部２６２ｃが重なり合わないように配置されることが好ましい。
このような位置となるように配置されることによって、雄型部２６４が雌型部２６２の傾斜面に当接した後、棒状部２４が回動しながら雄型部２６４と雌型部２６２が嵌合するようになる。
このように、接触子２０を形成する際に、雄型部２６４の山頂部２６４ｃと雌型部２６２の谷底部２６２ｃがねじれの位置に配置されることによって、好適に棒状部２４が回動することができるようになる。
なお、雄型部２６４の山頂部２６４ｃと雌型部２６２の谷底部２６２ｃとは、必ず密着する必要はない。
【００２８】
雄型部２６４を凸形状の部材、雌型部２６２を凹形状の部材として説明したが、お互いに嵌合することとのできる部材であれば、逆の形状であっても構わない。
【００２９】
図２Ｂで示される円筒部２２は、例えば、外径が、約２５から３００μｍで、内径が１０から２５０μｍのニッケルあるいはニッケル合金のチューブを用いることができる。この実施形態では、一例として、外径φ１が、約１５０μｍ、内径φ２が約１２５μｍ、全長Ｌ１が約２０ｍｍのニッケルチューブを用いるが、それに限定されるものではない。円筒部２２の先端部２２ｆの端面２２ｆｅ及び後端部２２ｒの後端面を除いて周面を必要に応じて絶縁被覆してもよい。
【００３０】
また、円筒形状の先端部２２ｆの長さＬ２は約５ｍｍで、ばね部２２ｓの長さＬ３は約１０ｍｍで、後端部２２ｒの長さＬ４は約５ｍｍである。これらの値は一例であり、それらに限定されるものではない。
【００３１】
円筒部２２は、例えば、次のような製法によって製造することができる。
［製法例１］
（１）まず、円筒部２２の中空部を形成するための芯線（図示せず）を用意する。なお、この芯線は、円筒部２２の内径φ２を規定する所望の太さ（上記の実施形態では、直径が約１２５μｍ）のＳＵＳ線を用いる。
（２）次いで、芯線（ＳＵＳ線）にフォトレジスト被膜を塗布し、この芯線の周面を覆う。そのフォトレジスト被膜の所望の部分を露光・現像・加熱処理して螺旋状のマスクを形成する。例えば、芯線を中心軸の周りに回転させながらレーザにより所定の部分を露光して螺旋状のマスクを形成する。円筒部２２においては、円筒形状の先端部２２ｆと円筒形状の後端部２２ｒとの間の長さＬ３のばね部２２ｓに対応する位置にマスクを形成する。
（３）次いで、その芯線にニッケルめっきを実施する。このとき、芯線は導電性であるため、フォトレジストマスクが形成されていない箇所にニッケルめっきが付着する。
（４）次いで、フォトレジストマスクを除去して、芯線を引き抜き、所望の長さで筒体を切断して、円筒部２２を形成する。芯線を完全に引き抜く前に筒体を切断してもよいことは、いうまでもない。
【００３２】
また、円筒部２２は、下記の方法でも製造することもできる。
［製法例２］
（１）まず、製法例１と同様に、円筒部２２の中空部を形成するための芯線（図示せず）を用意し、その芯線にニッケルを所望の厚さめっきして、芯線の周面にニッケルめっき層を形成する。
（２）次に、そのニッケルめっき層の表面にフォトレジストを塗布する。そのフォトレジストの所望の部分を露光・現像・加熱処理して螺旋状のマスクを形成する。例えば、芯線を中心軸の周りに回転させながら、レーザにより露光して螺旋状のマスクを形成する。円筒部２２においては、円筒形状の先端部２２ｆと円筒形状の後端部２２ｒとの間の長さＬ３のばね部２２ｓに対応する位置にマスクを形成する。
（３）次いで、ニッケルめっきをエッチング除去する。このとき、フォトレジストマスクが形成されていない箇所のニッケルめっきが除去される。
（４）次いで、フォトレジストマスクを除去して、芯線を引き抜き、所望の長さで筒体を切断して、円筒部２２を形成する。芯線を完全に引き抜く前に筒体を切断してもよいことは、いうまでもない。
【００３３】
上記の製法は例示であり、円筒部の製造方法は、それらの製法に限定されるものではない。
【００３４】
図２Ｃは、接触子２０を構成する棒状部２４を示す。棒状部２４として、例えば、直径φ３が、約１１０μｍのタングステン、工具用炭素鋼（ＳＫ材）、ベリリウム銅等からなる円柱形状部材を用いることができる。その直径は、棒状部２４が筒形状部２２内で移動自在であるため、円筒部２２の内径よりも小さい。長さは、検査用治具のヘッド部１２（図１）から先端部を突出させる長さに応じて変わるが、円筒部２２とほぼ同じかそれよりも短くてよい。
【００３５】
まず、接触子２０の検査対象とする被検査物の対象部の所定の検査点に接触する先端部として機能する部分を残して、円筒部２２内に棒状部２４に挿入する。一例として、棒状部２４の先端部２４ａを含めて約２ｍｍから３ｍｍ程度を、円筒部２２の先端部２２ｆの先端面２２ｆｅから突出させている。
【００３６】
次に、円筒部２２の先端部２２ｆの先端面２２ｆｅに近い位置において、円筒部２２の先端部２２ｆと棒状部２４の本体部２４ｂとを接合する。例えば、抵抗溶接により、対向する一対の電極部４０によって挟み、加圧しながら短時間定電流を流して、その位置において、円筒部２２の先端部２２ｆと棒状部２４の本体部２４ｂとを溶接する。それに代えて、その位置をかしめて円筒部２２の先端部２２ｆと棒状部２４の本体部２４ｂとを接合してもよい。
【００３７】
［検査用治具の概要］
図３は、検査用治具の一部の拡大断面図である。図３に示すように、ヘッド部１２の下面には板厚の薄いプレート１２ｕが取り付けられていて、ヘッド部１２には大径部１２ｈ１が形成され、プレート１２ｕには小径部１２ｈ２が形成されている。ただし、プレート１２ｕを用いることなく、ヘッド部１２自体に大径部１２ｈ１と小径部１２ｈ２とを形成してもよい。
【００３８】
大径部１２ｈ１には、接触子２０の円筒部２２の先端部２２ｆが挿入されていて、その先端部２２ｆの先端面２２ｆｅが、大径部１２ｈ１から小径部１２ｈ２移る部分にある、小径部１２ｈ２を形成するプレート１２ｕの面に当接している。小径部１２ｈ２には棒状部２４が挿通され、先端部２４ａがヘッド部１２から突出している。この場合、小径部１２ｈ２を形成するプレート１２ｕの面は係止部を構成する。
一方、接触子２０の後端部２２ｒの後端面は、ベース部１４の貫通孔１４ｈに挿入されて導線１８の端面と接触している。
【００３９】
図３の状態においては、ヘッド部１２の係止部を形成するプレート１２ｕの面から電極部１６の導線１８の端面までの距離は、図２Ａのように負荷のかかっていない自然長の円筒部２２の長さよりも小さい。そのため、図３においては、その係止部によって円筒部２２の先端部２２ｆが押し上げられて、ばね部２２ｓが収縮している。それにより、円筒部２２の後端部２２ｒが電極部１６の導線１８の端面に押し当てられている。これは、検査用治具に接触子を備えた際に、予めばね部２２ｓを収縮させた状態に保持させることにより、電極部へ所定の圧力をかけて保持させることができる。そのため、後端部２２ｒと導線１８との接触抵抗値を低減し且つ安定して抑えることができる。
【００４０】
図３の状態では、棒状部２４の雄型部２６４は、円筒部２２の雌型部２６２が有する斜面２６２ａ（又は２６２ｂ）と当接している。この場合、雄型部２６４の山頂部２６４ｃと雌型部２６２の谷底部２６２ｃはねじれの位置にあることになる。
【００４１】
図４は、図３の検査用治具を用いて被検査物の検査を行うときの状況を説明するための検査用治具の一部の拡大断面図である。
基板等の被検査物の検査時に、検査用治具１０を下降させて接触子２０の先端部２４ａを被検査物３０の配線等の対象部上の所定の検査点３０ｄ１に当接する。それにより、図４に示すように、接触子２０の棒状部２４は、押し上げられてヘッド部１２の貫通孔１２ｈ内に入り込む。上記のとおり、円筒部２２の先端部２２ｆと棒状部２４とはＰ１において接合されているため、棒状部２４が押し上げられると、それとともに円筒部２２の先端部２２ｆも押し上げられる。その結果、円筒部２２の先端部２２ｆの先端面２２ｆｅは、ヘッド部１２の小径部１２ｈ２の係止部を形成するプレート１２ｕの面から離れる。
【００４２】
図４の状態では、上記の如き検査が実施されることになるが、このとき、雄型部２６４と雌型部２６２とが嵌合された状態となっている。このとき、雄型部２６４の山頂部２６４ｃと雌型部２６２の谷底部２６２ｃが平面視において平行に（一直線状に）配置されていることになる。
【００４３】
図５は、本接触子の雄型部と雌型部の動作を示す拡大概念図である。図５（ａ）は接触子を検査用治具に備え付けられた状態を示し、図５（ｃ）は接触子が対象部に当接して検査が実施されている状態を示し、図５（ｂ）は（ａ）と（ｃ）の間の状態を示している。
まず、図５（ａ）に示される如く、対象部に接触子２０の棒状部２４の先端部２４ａが当接し、棒状部２４を押圧し始めると、棒状部２４の雄型部２６４の一部が雌型部２６２の斜面２６４ａと当接して移動（図示する矢印方向に移動）する。
【００４４】
そして、さらに棒状部２４が対象部に押圧されると、雄型部２６４の斜面２６４ａと雌型部２６２の斜面２６２ａが密接状態となるように、棒状部２４（雄型部２６４）が回転方向（円筒部の円周方向）に回動し始める（図５（ｂ）参照）。
そしてさらに、棒状部２４が対象部に押圧されると、雄型部２６４の斜面２６４ａと雌型部２６２の斜面２６２ａが密接される。このとき、雄型部２６４の山頂部２６４ｃと雌型部２６２の谷底部２６２ｃとが対向するように配置され、直線状の山頂部２６４ｃと直線状の谷底部２６２ｃは平行な位置関係を有している。
なお、この図５（ｃ）の場合、山頂部２６４ｃと谷底部２６２ｃとの間に隙間が生じているが、接触子２０と対象部は検査に必要な押圧力をばね部２２ｓから得ていることになる。
【００４５】
なお、検査が終了して検査用治具１０が被検査物から離れると、棒状部２４の先端部２４ａを押し上げる力がなくなるため、円筒部２２の先端部２２ｆは再びヘッド部１２の係止部を形成するプレート１２ｕの面に当接し、そこに保持される（図３）。
また、ばね部２２ｓが円筒部２２の壁面に形成されており、板ばねと同様の構成を有していることになることから、棒状部２４の先端部２４ａと対象部を離間する方向に移動させると、ばね部２２ｓが上記説明の円周方向とは逆方向の復元力が働きながら、ばね部２２ｓが基の長さに戻ることになる。このため、図５（ａ）から（ｃ）の逆状態（（ｃ）から（ａ））に動作することになる。
【００４６】
また、上記の実施形態は基板を被検査物として説明をしたが、それに限定されるものではなく、被検査物として半導体装置も含む。
【００４７】
また、上記の実施形態として、円筒部の後端部の端面は平坦として表したが、複数の先鋭形状の突出部を持つように形成してもよい。また、棒状部の先端部は先鋭形状として表したが、平坦でも半球形状でもクラウン状でもよい。
【００４８】
以上、本発明に係る被検査物検査用の検査用治具及びそれに用いることのできる接触子のいくつかの実施形態について説明したが、本発明はそれらの実施形態に拘束されるものではなく、当業者が容易になしえる追加、削除、改変等は、本発明に含まれるものであり、また、本発明の技術的範囲は、添付の特許請求の範囲の記載によって定められることを承知されたい。
【符号の説明】
【００４９】
１０・・・検査用治具
１１・・・支持部材
１１ｓ・・・スペーサ
１２・・・ヘッド部
１２ｈ、１４ｈ・・・貫通孔
１２ｈ１・・・大径部
１２ｈ２・・・小径部
１４・・・ベース部
１６・・・電極部
２０・・・接触子
２２ｆ，２４ａ・・・先端部
２４・・・・棒状部
２２ｒ，２６ｅ・・・後端部
２２ｓ・・・ばね部
【図１】
0005899650.tif 000002
【図２Ａ】
0005899650.tif 000003
【図２Ｂ】
0005899650.tif 000004
【図２Ｃ】
0005899650.tif 000005
【図３】
0005899650.tif 000006
【図４】
0005899650.tif 000007
【図５】
0005899650.tif 000008